(57)【要約】【課題】  被験者眼の状態に関わらず周辺撮影においても良好な眼底撮影を行うためのアライメント操作を行う。【解決手段】  被検眼の眼底を撮影する眼底カメラにおいて、被験者眼の視線を誘導する固視標の呈示位置を変更可能な固視標呈示手段と、アライメント指標投影光学系により投影されたアライメント指標に基づいて表示手段に表示されるアライメント指標に対してアライメント基準となるレチクルを表示手段の画面上の所定位置に電子的に形成して表示させるレチクル表示制御手段であって，固視標呈示手段によって変更される固視標の呈示位置に応じてレチクルの表示形状を変化させるレチクル表示制御手段と、を備える。【選択図】      図８
2008212308.tif 000002
【特許請求の範囲】
【請求項１】
被験者眼眼底を撮影する第１撮影手段を持つ眼底撮影光学系と、被験者眼の前眼部を撮影する第２撮影手段を持つ前眼部観察光学系と、前記第１撮影手段によって撮像される被験者眼の眼底観察像と前記第２撮影手段によって撮像される前眼部像とを切換表示可能な表示手段と、被験者眼にアライメント指標を投影するためのアライメント指標投影光学系と、を備える眼底カメラにおいて、
被験者眼の視線を誘導する固視標の呈示位置を変更可能な固視標呈示手段と、
前記アライメント指標投影光学系により投影されたアライメント指標に基づいて前記表示手段に表示されるアライメント指標に対してアライメント基準となるレチクルを前記表示手段の画面上の所定位置に電子的に形成して表示させるレチクル表示制御手段であって，前記固視標呈示手段によって変更される固視標の呈示位置に応じて前記レチクルの表示形状を変化させるレチクル表示制御手段と、
を備えることを特徴とする眼底カメラ。
【請求項２】
請求項１の眼底カメラは、被験者眼の眼底像もしくは前眼部像が表示された前記表示手段の画面上に被験者眼に対する装置本体のアライメント偏位量に応じて表示位置が移動されるアライメント指標を電子的に形成して合成表示させるアライメント指標表示制御手段を持つ。
【請求項３】
請求項１の眼底カメラにおいて、前記レチクル表示制御手段によって表示される周辺撮影用レチクルは、被験者眼の角膜頂点付近に撮影光軸がアライメントされたときの前記アライメント指標の表示位置と、被験者眼の瞳孔中心付近に撮影光軸がアライメントされたときの前記アライメント指標の表示位置とを結ぶ前記表示手段の画面上の仮想直線を囲むもしくはトレースするように表示されることを特徴とする眼底カメラ。
【請求項４】
請求項１の眼底カメラにおいて、
前記レチクル表示制御手段によって表示されるレチクルは枠形状のレチクルであって、
前記レチクル表示制御手段は、
前記固視標呈示手段によって変更される固視標の呈示位置が被験者眼眼底の周辺部を撮影するように設定されると、
前記アライメント指標が前記レチクルの枠内に表示されたときに被験者眼の角膜頂点付近から瞳孔中心付近にかけての所定領域に前記眼底撮影光学系の撮影光軸がアライメントされるように、固視標の呈示位置に応じて前記レチクルの枠形状を変更することを特徴とする眼底カメラ。
【請求項５】
請求項１の眼底カメラにおいて、
前記レチクル表示制御手段は、
前記固視標呈示手段によって変更される固視標の呈示位置が被験者眼眼底の中央部を撮影するように設定されると、標準撮影用の表示形状を持つ標準撮影用レチクルを前記表示手段の画面上に表示し、
前記固視標呈示手段によって変更される固視標の呈示位置が被験者眼眼底の周辺部を撮影するように設定されると、前記標準撮影用レチクルの表示位置に対して被験者眼が誘導される視線方向に応じた所定方向に表示形状が大きくなるようにレチクルの表示形状を変更することを特徴とする眼底カメラ。
【請求項６】
請求項１の眼底カメラにおいて、
前記第２撮影手段の撮影信号に基づいて被験者眼に対する装置本体のアライメント偏位量を検出して所定のアライメント許容範囲内か否かを判定するとともに，該アライメント許容範囲外のときはアライメント動作を行うアライメント制御手段を備え、
前記アライメント制御手段は
前記固視標呈示手段によって変更される固視標の呈示位置が被験者眼眼底の周辺部を撮影するように設定されると、
標準撮影時のアライメント許容範囲に対して被験者眼が誘導される視線方向に応じた所定方向にアライメント許容範囲が大きくなるようにアライメントの許容範囲を大きくすることを特徴とする眼底カメラ。
【発明の詳細な説明】
【技術分野】
【０００１】
本発明は、被験者眼の眼底を撮影する眼底カメラに関する。
【背景技術】
【０００２】
被験者眼の眼底を撮影する眼底カメラにおいて、被験者眼に固視させる固視標の呈示位置に応じて、アライメントの基準となるレチクルの表示位置を変更するものが知られている（特許文献１参照）。この装置の場合、特に眼底の周辺撮影において被験者眼の虹彩による眼底照明光の遮光を防止するべく、固視標の呈示位置に応じて眼底カメラの撮影光軸が瞳孔中心にアライメントされるようにレチクルの表示位置を変更するようにしている。
【特許文献１】特開平１１−４８０８号公報
【発明の開示】
【発明が解決しようとする課題】
【０００３】
しかしながら、十分な自然散瞳または散瞳剤を点眼した被験者は瞳孔径が十分あるため、周辺撮影の場合においても必ずしも瞳孔中心へアライメントを行うことが良いとされるものではなく、周辺撮影において瞳孔中心にアライメントすることで、被験者眼の角膜頂点が撮影光軸から大きくずれるほど、角膜や水晶体の反射によるフレアが眼底画像に発生しやすい場合もある。すなわち、良好な眼底画像が撮影できるアライメント位置は、瞳孔径の大きさや角膜，水晶体の構造など被験者眼の状態によって異なる。
【０００４】
本発明は、上記問題点を鑑み、被験者眼の状態に関わらず周辺撮影においても良好な眼底撮影を行うためのアライメント操作を行うことのできる眼底カメラを提供することを技術課題とする。
【課題を解決するための手段】
【０００５】
上記課題を解決するために、本発明は以下のような構成を備えることを特徴とする。
【０００６】
（１）  被験者眼眼底を撮影する第１撮影手段を持つ眼底撮影光学系と、被験者眼の前眼部を撮影する第２撮影手段を持つ前眼部観察光学系と、前記第１撮影手段によって撮像される被験者眼の眼底観察像と前記第２撮影手段によって撮像される前眼部像とを切換表示可能な表示手段と、被験者眼にアライメント指標を投影するためのアライメント指標投影光学系と、を備える眼底カメラにおいて、
被験者眼の視線を誘導する固視標の呈示位置を変更可能な固視標呈示手段と、
前記アライメント指標投影光学系により投影されたアライメント指標に基づいて前記表示手段に表示されるアライメント指標に対してアライメント基準となるレチクルを前記表示手段の画面上の所定位置に電子的に形成して表示させるレチクル表示制御手段であって，前記固視標呈示手段によって変更される固視標の呈示位置に応じて前記レチクルの表示形状を変化させるレチクル表示制御手段と、を備えることを特徴とする。
（２）  （１）の眼底カメラは、被験者眼の眼底像もしくは前眼部像が表示された前記表示手段の画面上に被験者眼に対する装置本体のアライメント偏位量に応じて表示位置が移動されるアライメント指標を電子的に形成して合成表示させるアライメント指標表示制御手段を持つ。
（３）  （１）の眼底カメラにおいて、前記レチクル表示制御手段によって表示される周辺撮影用レチクルは、被験者眼の角膜頂点付近に撮影光軸がアライメントされたときの前記アライメント指標の表示位置と、被験者眼の瞳孔中心付近に撮影光軸がアライメントされたときの前記アライメント指標の表示位置とを結ぶ前記表示手段の画面上の仮想直線を囲むもしくはトレースするように表示されることを特徴とする。
（４）  （１）の眼底カメラにおいて、
前記レチクル表示制御手段は、
前記固視標呈示手段によって変更される固視標の呈示位置が被験者眼眼底の周辺部を撮影するように設定されると、前記アライメント指標が前記レチクルの枠内に表示されたときに被験者眼の角膜頂点付近から瞳孔中心付近にかけての所定領域に前記眼底撮影光学系の撮影光軸がアライメントされるように、固視標の呈示位置に応じて前記レチクルの形状を変更することを特徴とする。
（５）  （１）の眼底カメラにおいて、
前記レチクル表示制御手段は、
前記固視標呈示手段によって変更される固視標の呈示位置が被験者眼眼底の中央部を撮影するように設定されると、標準撮影用の表示形状を持つ標準撮影用レチクルを前記表示手段の画面上に表示し、
前記固視標呈示手段によって変更される固視標の呈示位置が被験者眼眼底の周辺部を撮影するように設定されると、前記標準撮影用レチクルの表示位置に対して被験者眼が誘導される視線方向に応じた所定方向に表示形状が大きくなるようにレチクルの表示形状を変更することを特徴とする。
（６）  （１）の眼底カメラにおいて、
前記第２撮影手段の撮影信号に基づいて被験者眼に対する装置本体のアライメント偏位量を検出して所定のアライメント許容範囲内か否かを判定するとともに，該アライメント許容範囲外のときはアライメント動作を行うアライメント制御手段を備え、
前記アライメント制御手段は
前記固視標呈示手段によって変更される固視標の呈示位置が被験者眼眼底の周辺部を撮影するように設定されると、
標準撮影時のアライメント許容範囲に対して被験者眼が誘導される視線方向に応じた所定方向にアライメント許容範囲が大きくなるようにアライメントの許容範囲を大きくすることを特徴とする。
【発明の効果】
【０００７】
本発明によれば、被験者眼の状態に関わらず周辺撮影においても良好な眼底撮影を行うためのアライメント操作ができる。
【発明を実施するための最良の形態】
【０００８】
以下、本発明に係る実施形態を図面に基づいて説明する。図１は本実施形態に係る眼底カメラの外観構成図である。
【０００９】
眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被験者眼Ｅに対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、眼底観察像や眼底撮影像を表示するモニタ８が設けられている。
【００１０】
図２は、撮影部３に収納される光学系及び制御系の概略構成図である。光学系は、照明光学系１０、被験者眼の眼底を撮影する第１撮影手段（例えば、二次元撮像素子３８）を持つ眼底観察・撮影光学系３０、アライメント指標投影光学系５０、被験者眼の前眼部を撮影する第２撮影手段（例えば、二次元撮像素子６５）を持つ前眼部観察光学系６０、固視標呈示光学系７０から大別構成されている。
【００１１】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１２】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被験者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。
【００１３】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被験者眼Ｅの瞳孔付近で一旦収束した後、拡散して被験者眼眼底部を照明する。
【００１４】
また、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。なお、撮像素子３８の出力は制御部８０に入力され、図６に示すようにモニタ８には、撮像素子３８によって撮像される被験者眼の眼底観察像が表示される。
【００１５】
また、撮影光源１４の発光により、眼底は可視光により照明され、眼底からの反射光は対物レンズ２５、孔あきミラー２２の開口部、撮影絞り３１、フォーカシングレンズ３２、結像レンズ３３を経て、二次元撮像素子３５に結像する。
【００１６】
＜アライメント指標投影光学系＞  被験者眼にアライメント用指標光束を投影するアライメント指標投影光学系５０には、図２の左上の点線Ａ内の図に示すように、撮影光軸Ｌ１を中心として同心円上（例えば、半径３ｍｍの同心円）に４５度間隔で赤外光源が複数個配置されており、撮影光軸Ｌ１を通る垂直平面を挟んで左右対称に配置された赤外光源５１とコリメーティングレンズ５２を持つ第１指標投影光学系（０度、及び１８０）と、第１指標投影光学系とは異なる位置に配置され６つの赤外光源５３を持つ第２指標投影光学系と、を備える。この場合、第１指標投影光学系は被験者眼Ｅの角膜に無限遠の指標を左右方向から投影し、第２指標投影光学系は被験者眼Ｅの角膜に有限遠の指標を上下方向もしくな斜め方向から投影する構成となっている。なお、図２の本図には、便宜上、第１指標投影光学系（０度、及び１８０度）と、第２指標投影光学系の一部（４５度、１３５度）が図示されている。
【００１７】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、アライメント用光束による角膜反射光が二次元撮像素子６５に検出される。二次元撮像素子６５の出力は制御部８０に入力され、図４に示すようにモニタ８には二次元撮像素子６５によって撮像される前眼部像Ｆが表示される。なお、前眼部観察光学系６０は、被験者眼に対する装置本体のアライメント状態を検出する役割を兼用する。
【００１８】
＜固視標呈示光学系＞  被検眼に固視させる固視標の呈示位置を変更可能な構成を有し、被験者眼の視線を誘導するための固視標呈示光学系７０は、赤色の光源７４、開口穴が形成された８個の遮光板を持つ遮光板７１、リレーレンズ７５を備え、ダイクロイックミラー３７を介して跳ね上げミラー３４から対物レンズ２５までの観察光学系３０の光路を共用する。８個の遮光板７１は、それぞれ開口穴７１ａ〜７１ｈを備える。ディスク板７２はパルスモータ７３により回転駆動され、各遮光板７１が選択的に光源７４の前に配置されると、固視標は図３に示す様に、開口穴７１ａ〜７１ｈに対応して、光軸Ｌ２に対し８個の位置に呈示される。なお、上記構成の詳しい構成については、特開２００４−２９０５３５号公報を参考にされたい。
【００１９】
固視標からの光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して被験者眼眼底に集光し、被検者は所定の開口穴７１ａ〜７１ｈのいずれかからの光束を固視標として視認する。
【００２０】
固視標呈示光学系７０は、眼底中心部を撮影する標準位置と眼底周辺部を撮影する周辺位置とに固視標の呈示位置を変更可能な構成となっている。すなわち、開口穴７１ｂに対応する固視標位置９１Ｒは、右眼の黄班、視神経乳頭をバランスよく含む眼底後極部付近を中心として撮影するときに使用するものであり、この固視標位置９１Ｒが右眼撮影時の標準位置とされる。一方、開口穴７１ａに対応する固視標位置９１Ｌは左眼の黄班、視神経乳頭をバランスよく含む眼底後極部付近を中心に撮影するときに使用するものであり、この固視標位置９１Ｌが左眼撮影時の標準位置とされる。そして、開口穴７１ｃ〜７１ｈに対応する固視標位置９２〜９７が周辺撮影用の位置とされる。
【００２１】
＜制御系＞  二次元撮像素子６５、３８、３５の出力は制御部８０に接続されている。制御部８０は二次元撮像素子６５に撮像された前眼部画像からアライメント指標を検出処理し、二次元撮像素子３８に撮像された眼底画像から図示無きフォーカス指標投影光学系によって眼底上に投影されたフォーカス指標を検出処理する。また、制御部８０はモニタ８に接続され、その表示画像を制御する。これにより、眼底観察像と前眼部観察像がモニタ８上で切換表示可能となる。制御部８０には、他に、ＸＹＺ駆動部６、移動機構４９、挿脱機構３９、挿脱機構６６、パルスモータ７３、回転ノブ４ａ、撮影スイッチ４ｂ、各種のスイッチを持つスイッチ部８４、記憶手段としてのメモリ８５、各光源等が接続されている。なお、スイッチ部８４には、眼底像のフォーカス調整を行うためのフォーカス調整スイッチ８４ａ、被験者眼に対する固視標の呈示位置を変更するための固視標呈示スイッチ８４ｂ等が配置されている。ここで、制御部８０は、撮像素子６５の撮影信号に基づいて被験者眼に対する装置本体３のアライメント偏位量を検出する役割を有する。また、制御部８０は、被検眼の眼底像もしくは前眼部像が表示されたモニタ８の画面上（図４、図６参照）において、アライメント基準となるレチクルＬＴを所定位置に電子的に形成して表示させるレチクル表示制御機能と，制御部８０にて検出されたアライメント偏位量に応じて表示位置が移動されるアライメント指標Ａ１を電子的に形成して合成表示させるアライメント指標表示制御機能を有する。
【００２２】
以上のような構成を備える眼底カメラの動作について、眼底の中央位置（後極部位）を撮影する場合（標準撮影）と眼底の周辺位置（周辺部位）を撮影する場合（周辺撮影）に分けて説明する。なお、以下の説明は右眼を撮影する場合である。
【００２３】
まず、眼底の中央位置を撮影する場合について説明する。まず、被検者の顔を顔支持ユニット５により支持する。初期段階では、ダイクロイックミラー２４は撮影光学系３０の光路に挿入されており、二次元撮像素子６５に撮像される前眼部像がモニタ８に表示可能な状態となっている。検者は、前眼部像がモニタ８に現れるようにジョイスティック４の操作により撮影部３を左右上下に移動する。前眼部像がモニタ８に現われるようになると、図４（ａ）に示すように、８つの指標像Ｍａ〜Ｍｈが現われるようになる。なお、モニタ８の中央（画面中央）には、制御部８０によってレチクルＬＴと撮影可能な最小瞳孔径を表す円形マークＰとが電子的に形成され、前眼部像に重ねて合成表示されている。なお、レチクルＬＴはモニタ８の画面上の所定位置に電子的に形成されて表示される枠形状のアライメントマークであり、後述するアライメント指標Ａ１に対してアライメント基準となる。なお、標準撮影におけるレチクルＬＴは、モニタ８の画面上において後述するアライメント指標Ａ１がレチクルＬＴの枠内に位置されると、被験者眼の角膜頂点付近及び瞳孔中心付近に撮影光軸Ｌ１が誘導されるように表示形状及び表示位置が設定されている。
【００２４】
前述のように被験者眼角膜上に投影されたアライメント指標像が二次元撮像素子６５に検出されると、制御部８０は、二次元撮像素子６５からの撮像信号に基づいて被験者眼に対する装置本体３のアライメント偏位量を検出する。より具体的には、リング状に投影された指標像Ｍａ〜Ｍｈによって形成されるリング形状の中心のＸＹ座標を略角膜頂点として検出し、予め撮像素子６５上に設定されたＸＹ方向のアライメント基準位置（例えば、撮像素子６５の撮像面と撮影光軸Ｌ１との交点）と角膜頂点座標との偏位量を求める。
【００２５】
そして、制御部８０は、中心座標が得られると、その中心座標に対応するモニタ８上の表示位置にアライメント指標Ａ１を電子的に合成表示させる。ここで、装置本体がＸＹ方向に移動されると、それに伴って各指標像Ｍａ〜Ｍｈの座標位置が変化されるため、電子アライメント指標Ａ１は、モニタ８上の前眼部像における略角膜頂点に位置するように表示される。すなわち、アライメント指標Ａ１は、アライメント指標投影光学系５０によって被検眼に投影されたアライメント指標に基づいてモニタ８に表示される。
【００２６】
ここで、被験者眼Ｅや装置本体３の移動によって、前述のように検出されるアライメント偏位量Δｄ（以下、検出アライメント偏位量と記す）が変化すると、制御部８０は、レチクルＬＴとアライメント指標Ａ１との相対距離Δｈ（以下、表示相対距離と記す）を逐次変化させていく。これにより、検出アライメント偏位量に応じて、レチクルＬＴに対するアライメント指標Ａ１の形成位置（表示位置）が逐次更新されていく。
【００２７】
ここで、図４（ｂ）に示すように、モニタ８の画面上における電子アライメント指標Ａ１がレチクルＬＴの枠内に表示されるように、検者によってジョイスティック４が操作される。そして、検者は、被験者眼の瞳孔径が最小瞳孔径を表す円形マークＰよりも大きいかどうかを確認する。
【００２８】
また、制御部８０は、前述のように検出される無限遠の指標像Ｍａ，Ｍｅの間隔と有限遠の指標像Ｍｈ，Ｍｆの間隔とを比較することによりＺ方向のアライメント偏位量を求める。この場合、制御部８０は、装置本体３が作動距離方向にずれた場合に、前述の無限遠指標Ｍａ，Ｍｅの間隔がほとんど変化しないのに対して、指標像Ｍｈ，Ｍｆの像間隔が変化するという特性を利用して、被験者眼に対する作動距離方向のアライメント偏位量を求める（詳しくは、特開平６−４６９９９号参照）。そして、制御部８０は、検出されたＺ方向のアライメント偏位量に基づいてインジケータＧの本数を増減させる。ここで、検者は、インジケータＧが図４（ｂ）の状態となるようにジョイスティック４を操作して装置本体３を前後方向に移動させる。
【００２９】
ここで、制御部８０は、前述のように検出されるアライメント偏位量Δｄがアライメント完了の所定の許容範囲Ａに一定時間入っているかにより、ＸＹ方向のアライメントの適否を判定する（図５参照）。また、Ｚ方向のアライメント偏位量は、指標像Ｍａ，Ｍｂの間隔と指標像Ｍｃ，Ｍｄの間隔とを比較することにより算出される。Ｚ方向についても、Ｚ方向のアライメント基準位置に対する偏位量を求め、その偏位量がアライメント完了の許容範囲に一定時間入っているかにより、Ｚ方向のアライメントの適否を判定する。
【００３０】
ここで、ＸＹＺ方向のアライメント状態が所定のアライメント完了の条件を満足していれば、制御部８０はモニタ８の表示を前眼部像から眼底像に切換える。モニタ８の前眼部像と眼底画像との表示の切換えは、スイッチ部８４のスイッチ操作でも可能である。
【００３１】
図６は、二次元撮像素子３８の眼底像に切換えられたときの画面例である。制御部８０は、前眼部像観察画面と同様に、レチクルＬＴを所定位置に表示させると共に、検出アライメント偏位量Δｄに基づいてレチクルＬＴとの表示相対距離ΔＨを逐次変化させるようにアライメント指標Ａ１をモニタ８の画面上に電子的に形成して表示させる。この場合、制御部８０は、所定の検出アライメント偏位量に対応する表示相対距離が、前眼部像観察画面より眼底像観察画面の方で大きくなる（例えば、４〜５倍程度）ようにアライメント指標Ａ１の表示位置を制御することにより眼底観察画面でのアライメントの微調整を容易に行うことができる。また、制御部８０は、Ｚ方向においても、前眼部像観察画面と同様に、前述のように検出されるＺ方向のアライメント偏位量に基づいてインジケータＧの本数を増減させる。
【００３２】
ここで、検者は、モニタ８の画面上における電子アライメント指標Ａ１がレチクルＬＴの枠内に表示されるように（図６（ｂ）参照）、ジョイスティック４を用いて装置本体３を移動させることにより、被験者眼に対する装置本体３のＸＹ方向のアライメントの微調整を行う。また、検者は、再度インジケータＧの表示状態を確認し、インジケータＧが図６（ｂ）の状態となるようにジョイスティック４を操作して装置本体３を前後方向に移動させる。
【００３３】
また、検者は、モニタ８上の眼底画像を見ながらフォーカススイッチ８４ａを操作することにより眼底像のフォーカス調整を行う。このようにして、所望する部位が良好に観察できていれば、撮影スイッチ４ｂを押すことにより撮影が実行される。制御部８０は、挿脱機構３９を駆動させることにより跳ね上げミラー３４を光路から離脱させ、挿脱機構６６を駆動することによりダイクロイックミラー２４を光路から離脱させると共に、撮影光源１４を発光する。このとき、二次元撮像素子３５によって眼底像が撮影され、メモリ８５に撮影された画像データが記憶される。そして、制御部８０は、モニタ８の表示画面を二次元撮像素子３５で撮影されたカラーの眼底画像に切換える。
【００３４】
次に、眼底の周辺部を撮影する場合について説明する。ここで、検者によってスイッチ８４ｂが操作されると、固視標の呈示位置が標準撮影用の呈示位置から眼底周辺用の任意の呈示位置に設定される。これにより、周辺撮影用の固視標の方向に視線が誘導される。
【００３５】
固視標呈示光学系７０によって固視標の呈示位置が周辺撮影用に変更されると、制御部８０は、固視標の呈示位置に応じて電子的に表示されるレチクルＬＴの表示形状を変化させる。周辺撮影においては、視線方向の振れ量に応じて被験者眼の角膜頂点と瞳孔中心との偏心量が大きくなる。そこで、制御部８０は、レチクルＬＴの枠内にアライメント指標Ａ１が位置（表示された）したときに被験者眼の角膜頂点付近から瞳孔中心付近にかけての所定領域に撮影光軸Ｌ１がアライメントされるように、被験者眼が誘導される固視標の呈示位置に応じてレチクルＬＴの表示形状を変更する。ここで、図７は固視標の呈示位置に対応するレチクルＬＴの表示形状を示す図であり、眼底像観察画面での表示例である。図７（ａ）は呈示位置９５に対応するレチクルＬＴの表示形状、図７（ｂ）は呈示位置９２に対応するレチクルＬＴの表示形状、図７（ｃ）は呈示位置９４に対応するレチクルＬＴの表示形状を示す図である。すなわち、制御部８０は、固視標の呈示位置が被験者眼眼底の後極部を撮影するように設定されると標準撮影用の表示形状を持つ標準撮影用レチクルをモニタの画面上に表示し、固視標の呈示位置が被験者眼眼底の周辺部を撮影するように設定されると標準撮影用レチクルの表示位置に対して被験者眼が誘導される視線方向に応じた所定方向に表示形状が大きくなるようにレチクルＬＴの表示形状を変更する。この場合、周辺撮影用レチクルは、被験者眼が所定方向に振られる角度が大きいほど標準撮影用レチクルに対する偏心量が大きくなる。また、周辺撮影用レチクルは、標準撮影用レチクルが表示される表示位置を中心として被験者が誘導される視線方向の変化に応じて偏心回転されるように表示形状が変化される。
【００３６】
ここで、周辺撮影用レチクルは、その表示範囲によって誘導される撮影光軸が少なくとも被験者眼の角膜頂点位置から瞳孔中心位置にかけての領域（角膜頂点位置から瞳孔中心位置を結ぶ仮想直線）に位置されるように表示される。本実施形態では、周辺撮影用レチクルの表示形状は、被験者眼の角膜頂点付近から瞳孔中心付近にかけての所定領域に撮影光軸Ｌ１がアライメントされたときにアライメント指標Ａ１がレチクルＬＴの枠内に表示されるように設定されている。
【００３７】
なお、固視標の呈示位置に応じて変更されるレチクルＬＴのモニタ８上における表示形状及び表示位置は、固視標の各呈示位置に対応するようにメモリ８５にそれぞれ記憶されている。この場合、周辺固視を行っている状態の被験者眼の角膜頂点及び瞳孔中心に撮影光軸Ｌ１を位置させたときのアライメント指標Ａ１の表示位置をそれぞれ実験やシュミレーション等により求めておき、求められたアライメント指標Ａ１の表示位置及びアライメント許容範囲などを考慮してレチクルＬＴの表示形状（表示範囲）が設定される。より具体的には、被験者眼の角膜頂点付近に撮影光軸Ｌ１がアライメントされたときのアライメント指標Ａ１の表示位置と、被験者眼の瞳孔中心付近に撮影光軸Ｌ１がアライメントされたときのアライメント指標Ａ１の表示位置を結ぶモニタ８の画面上の仮想直線を基準に、レチクルＬＴの表示形状（表示範囲）が設定される。この場合、仮想直線を囲むような枠状のレチクル形状にしてもよいし、仮想曲線をトレースする（なぞる）ような線状のレチクル形状にしてもよい。本実施形態では、角膜頂点位置から瞳孔中心位置を結ぶ仮想直線に対して撮影光軸Ｌ１が０．５ｍｍずれた位置までがアライメント許容範囲となるようにレチクルＬＴの枠形状が設定されている。
【００３８】
以下の説明では、開口穴７１ｆを光源７４の前に配置させる（呈示位置９５）ことにより、右眼における乳頭を中心とする領域を撮影する場合について説明する（図７（ａ）参照）。この場合、被験者眼の視線が左方向（被験者から見て）を向いた状態となる（図９参照）。ここで、制御部８０によってモニタ８の画面上に表示されたレチクルＬＴは、標準撮影時のレチクルＬＴの表示形状に対して画面上で左方向に延長されて表示される。そして、レチクルＬＴは、眼底像観察画面において、被験者眼の前眼部上における被験者眼の角膜頂点付近から瞳孔中心付近にかけての所定領域に対して撮影光軸Ｌ１を位置させるためのアライメント基準として用いられる。
【００３９】
上記のようにレチクルＬＴが表示された状態において、検者は、所望する眼底像を撮影するべく、レチクルＬＴの枠内にアライメント指標Ａ１が位置されるように（図８参照）、ジョイスティック４を用いて被験者眼に対して装置本体３をＸＹ方向に移動させる。そして、レチクルＬＴの枠内へのアライメント指標像Ａ１の移動が完了したら、検者は、ジョイスティック４を用いて装置本体３をＸＹ方向に移動させていき、良好な眼底画像が得られる撮影位置を探す。
【００４０】
ここで、図８（ａ）に示すように、アライメント指標Ａ１がレチクルＡ１の枠内における右側領域付近（標準撮影時においてレチクルＬＴが表示されていた領域付近）に位置されている場合、図９（ａ）に示すように、被験者眼の角膜頂点付近に撮影光軸Ｌ１がアライメントされた状態となる。なお、このアライメント状態での前眼部観察画面は図１０（ａ）のようになる。このようなアライメント状態は、被験者眼の角膜頂点と撮影光軸Ｌ１との位置ずれが少ないので、角膜や水晶体の反射によるフレアの少ない眼底画像を得られる可能性が高い。ただし、被験者眼の散瞳状態によっては虹彩によって眼底照明光が遮光される可能性が高い。なお、本実施形態における角膜頂点とは、撮影光軸Ｌ１に対して平行な直線であって被験者眼の角膜曲率中心を通過する直線と，被験者眼角膜と，が交わる点を表す。
【００４１】
また、図８（ｂ）に示すように、アライメント指標Ａ１がレチクルＬＴの枠内における左側領域付近に位置されている場合、図９（ｂ）に示すように、被験者眼の瞳孔中心付近に撮影光軸Ｌ１がアライメントされた状態となる。なお、このアライメント状態での前眼部観察画面は図１０（ｂ）のようになる。このようなアライメント状態は、被験者眼虹彩での眼底照明光のケラレによる照明ムラの少ない眼底画像を得られる可能性が高い。ただし、被験者眼の角膜頂点と撮影光軸Ｌ１との位置ずれが大きく、眼底画像にフレアが発生しやすい。
【００４２】
また、図８（ｃ）に示すように、アライメント指標Ａ１がレチクルＬＴの枠内における中央領域付近に位置されている場合、図９（ｃ）に示すように、被験者眼の瞳孔中心と角膜頂点の中間付近に撮影光軸Ｌ１がアライメントされた状態となる。このようなアライメント状態は、被験者眼の瞳孔中心に撮影光軸Ｌ１をアライメントする場合に比べれば、眼底画像にフレアが発生しにくく、被験者眼の角膜頂点に撮影光軸Ｌ１をアライメントする場合に比べれば、虹彩でのケラレによる照明ムラが眼底画像に発生しにくい。
【００４３】
ここで、検者は、レチクルＬＴの枠内にアライメント指標像Ａ１が位置される範囲内でジョイスティック４を用いて装置本体３を移動させていき、モニタ８の画面上でフレアや照明ムラの少ない良好な眼底画像を観察できたら、撮影開始スイッチ４ｂを押して、眼底像を撮影する。
【００４４】
以上のような構成によれば、検者は、レチクルＬＴの枠内でアライメント指標Ａ１を移動させることによって被験者眼の角膜頂点付近から瞳孔中心付近にかけての所定領域内で撮影光軸Ｌ１を移動させることができるので、フレアや照明ムラの少ない良好な眼底画像が撮影できる撮影位置を容易に特定することができる。したがって、良好な眼底画像を容易に撮影できる位置へのアライメント操作を容易に行うことができる。
【００４５】
なお、以上の説明においては、眼底像観察画面において、固視標の呈示位置に応じてレチクルＬＴの表示形状を変更するようにしたが、前眼部観察画面への適用も可能である。すなわち、前眼部観察画面において、制御部８０は、レチクルＬＴの枠内にアライメント指標Ａ１が位置（表示された）したときに被験者眼の角膜頂点付近から瞳孔中心付近にかけての所定領域に撮影光軸Ｌ１がアライメントされるように、被験者眼が誘導される視線方向に応じてレチクルＬＴの表示形状を変更する（図１０参照）。ここで、図１０（ａ）は、被験者眼の角膜頂点付近に撮影光軸Ｌ１がアライメントされているときの前眼部像観察画面であって、アライメント指標Ａ１がレチクルＡ１の枠内における右側領域付近に位置されている。また、図１０（ｂ）は被験者眼の瞳孔中心付近に撮影光軸Ｌ１がアライメントされているときの前眼部像観察画面であって、アライメント指標Ａ１がレチクルＬＴの枠内における左側領域付近に位置されている。また、図示を省略するが、アライメント指標Ａ１がレチクルＬＴの枠内における中央領域付近に位置されるようにアライメントすれば、被験者眼の瞳孔中心と角膜頂点の中間付近に撮影光軸Ｌ１を移動させることが可能である。
【００４６】
このようにすれば、前眼部像観察画面を用いて一旦アライメント調整を行ってから眼底観察を開始する場合や、眼底観察画面において被験者眼に対するアライメントが大きくずれてしまい前眼部観察画面でのアライメント再調整を行う場合において、被験者眼の角膜頂点付近から瞳孔中心付近にかけての所定領域内に撮影光軸Ｌ１を容易に移動させることができるので、良好な眼底画像が撮影できる可能性が高い撮影位置に容易に移動できる。また、眼底観察画面に移行後スムーズに、精密なアライメントを行うことが可能となる。
【００４７】
また、レチクルＬＴの表示形状が変更されるタイミングは、上記のように固視標の呈示位置が変更されるのに合わせて行う他、前述のように検出されるアライメント偏位量に基づいて被検眼の角膜頂点に対する撮影光軸Ｌ１とのアライメントがほぼ合致したタイミングでレチクルＬＴの表示形状を変更するようにしてもよい。
【００４８】
また、固視標の呈示位置の変更について、上記のように予め呈示位置が固定されている構成の他、液晶ディスプレイ等を用いて固視標の呈示位置を任意に変更できる構成であっても本発明の適用は可能である。この場合、任意に変更される固視標の呈示位置に対応するようにレチクルＬＴの表示形状を変更していけばよい。
【００４９】
なお、ＬＴの表示形状について、上記のような表示形態に限るものではなく、被験者眼の角膜頂点付近から瞳孔中心付近かけての所定領域内に撮影光軸Ｌ１が誘導されるようなものであればよい。例えば、図１１（ａ）に示すように、レチクルＬＴの表示形状が、角膜頂点付近に撮影光軸Ｌ１を合わせるためのマークＬＴＫと，瞳孔中心付近に撮影光軸Ｌ１を合わせるためのマークＬＴＰと，マークＬＴＫとマークＬＴＰとを連結するマークＬＴＣを持つような表示形態であってもよい。
【００５０】
また、図１１（ｂ）に示すように、レチクルＬＴの表示形状において、角膜頂点付近に撮影光軸Ｌ１を合わせるために形成された領域（図１１中のＬＴＫ内）を小さくし、瞳孔中心付近に撮影光軸Ｌ１を合わせるために形成された領域を大きくするようにしてもよい。このようにすれば、フレアの生じ易い瞳孔中心付近に撮影光軸Ｌ１があるときには、アライメントの許容範囲を大きくすることで、フレアの少ない良好な眼底画像が得られる可能性が高まる。一方、フレアの生じにくい角膜頂点付近に撮影光軸Ｌ１があるときには、アライメントの許容範囲を小さくすることで、より角膜頂点に近い位置に撮影光軸を位置させることが可能となり、フレアの少ない良好な眼底画像が得られる可能性が高まる。また、図１１（ｃ）に示すような直線状のレチクルであってもよい。
【００５１】
なお、被験者眼の眼底を撮影する眼底カメラにおいて、被験者眼に対してアライメント指標を光学的に投影する指標投影光学系と、被験者眼に投影されたアライメント指標を受光する受光光学系を設け、受光光学系から受光信号に基づいて被験者眼の眼底像もしくは前眼部像と共にアライメント指標を表示モニタ８に表示する構成であっても、本発明の適用は可能である。この場合、表示モニタ８の画面上において、被験者眼と装置本体３との偏位量に応じて表示状態が変化される光学アライメント指標と，固視標の呈示位置に応じて表示形状が変更されるレチクルＬＴとの位置関係に基づいてアライメント調整が行われる。
【００５２】
なお、本実施形態において、撮像素子６５からの撮像信号に基づいて被験者眼の瞳孔径を検出し、その瞳孔径の大小に応じてレチクルＬＴの大きさを変化させるようにしてもよい。この場合、例えば、被験者眼の瞳孔径が大きければレチクルＬＴの枠を大きくし、被験者眼の瞳孔径が小さければレチクルＬＴの枠を小さくすればよい。これにより、良好な眼底画像を撮影できる可能性が高いアライメント範囲内での撮影位置の調整が可能となる。
【００５３】
なお、以上の説明においては、被験者眼の眼底観察像を撮像するための撮像素子３８と被験者眼の前眼部像を撮像するための撮像素子６５が別々に設けられた構成としたが、これに限るものではなく、被験者眼の眼底観察像と前眼部像を撮像するための撮像素子を兼用させるような光学系を用いるものであっても、本発明の適用は可能である。
【００５４】
また、上記のようなレチクルＬＴの表示形状の変更とともに、所定のアライメント動作（前眼部観察画面と眼底観察画面との表示切換や、自動アライメント駆動など）を行う際のアライメント許容範囲を変更するようにしてもよい。図１２（ａ）は標準撮影時のアライメント許容範囲を示す図であり、図１２（ｂ）は周辺撮影時のアライメント許容範囲を示す図である。この場合、周辺撮影時において、制御部８０は、標準撮影時のアライメント許容範囲に対して被験者眼が誘導される視線方向に応じた所定方向にアライメント許容範囲が大きくなるようにアライメント許容範囲を変更する。
【００５５】
より具体的には、制御部８０は、前眼部観察状態において、前述のように検出されるアライメント偏位量Δｄがアライメント完了の所定の許容範囲Ａに一定時間入っているとモニタ８の表示を前眼部像から眼底像に切換える。また、制御部８０は、眼底観察画面への移行後、前述のように検出されるアライメント偏位量が、前眼部表示状態における許容範囲Ａに対して広く設定された眼底像表示状態におけるアライメント許容範囲Ｂに入っているか否かにより、自動アライメントの作動の可否を判定する。すなわち、制御部８０は、アライメント偏位量Δｄが許容範囲Ｂ２を超えるまでは自動アライメントの作動を停止し、偏位量Δｄが許容範囲Ｂ２から外れた場合に自動アライメントの作動を停止する。
【図面の簡単な説明】
【００５６】
【図１】本実施形態に係る眼底カメラの外観構成図である。
【図２】撮影部に収納される光学系及び制御系の概略構成図である。
【図３】固視標呈示光学系よって呈示される固視標の呈示位置について説明する図である（被検眼側から見たとき）。
【図４】表示モニタに表示された前眼部撮影画面を示す図である。
【図５】前眼部観察画面から眼底観察画面に切換える際のアライメント許容範囲について説明する図である。
【図６】表示モニタに表示された眼底撮影画面を示す図である。
【図７】固視標の呈示位置に対応するレチクルＬＴの表示形状を示す図である。
【図８】右眼における乳頭を中心とする領域を撮影する場合における眼底観察画面を示す図である。
【図９】左方向を向いた被験者眼と撮影光軸との位置関係を示す図である。
【図１０】前眼部観察画面において固視標の呈示位置に応じてレチクルＬＴの表示形状を変更するときの一例を示す図である。
【図１１】本実施形態に用いられるレチクルの表示形状の変容例について示す図である。
【図１２】固視標の呈示位置に応じてアライメント許容範囲を変更するときの一例を示す図である。
【符号の説明】
【００５７】
３  撮影部（装置本体）
３０  眼底観察・撮影光学系
３８  二次元撮像素子
８  表示モニタ
５０  アライメント指標投影光学系
６０  前眼部観察光学系
６５  二次元撮像素子
７０  固視標呈示光学系
８０  制御部
Ｌ１  撮影光軸
ＬＴ  レチクル
Ｅｖ  角膜頂点
Ｐｃ  瞳孔中心
【図１】
2008212308.tif 000003
【図２】
2008212308.tif 000004
【図３】
2008212308.tif 000005
【図４】
2008212308.tif 000006
【図５】
2008212308.tif 000007
【図６】
2008212308.tif 000008
【図７】
2008212308.tif 000009
【図８】
2008212308.tif 000010
【図９】
2008212308.tif 000011
【図１０】
2008212308.tif 000012
【図１１】
2008212308.tif 000013
【図１２】
2008212308.tif 000014